(57)【要約】【課題】カラオケの選曲時における利便性をより高める。【解決手段】このカラオケシステムには、多数の楽曲データを記憶し、当該多数の楽曲データをプレイリストとして分類する分類機能及び通信機能を有するデジタル再生装置と、デジタル再生装置と通信可能で、かつ楽曲データベースを有するカラオケユニットとが設けられている。カラオケユニットは、デジタル再生装置から送信されたプレイリストの楽曲情報データを受信すると、当該楽曲情報データに対応する楽曲を前記楽曲データベースから検索し、検索された楽曲に基づいて再生楽曲リストを作成する。【選択図】図１
2008158048.tif 000002
【特許請求の範囲】
【請求項１】
多数の楽曲データを記憶し、当該多数の楽曲データをプレイリストとして分類する分類機能及び通信機能を有するデジタル再生装置と、
前記デジタル再生装置と通信可能で、かつ楽曲データベースを有するカラオケユニットとを備え、
前記カラオケユニットは、前記デジタル再生装置から送信された前記プレイリストの楽曲情報データを受信すると、当該楽曲情報データに対応する楽曲を前記楽曲データベースから検索し、検索された楽曲に基づいて再生楽曲リストを作成することを特徴とするカラオケシステム。
【請求項２】
請求項１記載のカラオケシステムにおいて、
前記カラオケユニットは、外部の管理装置と通信可能であり、前記楽曲情報データに対応する楽曲が前記楽曲データベース内にない場合には、当該楽曲の追加をリクエストするリクエスト指示を前記管理装置に送信することを特徴とするカラオケシステム。
【請求項３】
請求項１又は２記載のカラオケシステムにおいて、
前記カラオケユニットは、前記楽曲データベースを有し、当該楽曲データベース内の楽曲を再生するカラオケ装置と、当該カラオケ装置に選曲指示を送信するリモコン装置とを備え、
前記カラオケ装置は、前記デジタル再生装置と通信可能であり、前記デジタル再生装置から送信された前記プレイリストの楽曲情報データを受信すると、当該楽曲情報データに対応する楽曲を前記楽曲データベースから検索し、検索された楽曲に基づいて再生楽曲リストを作成することを特徴とするカラオケシステム。
【請求項４】
請求項３記載のカラオケシステムにおいて、
前記カラオケ装置は、前記管理装置と通信可能であり、前記楽曲情報データに対応する楽曲が前記楽曲データベース内にない場合には、当該楽曲の追加をリクエストするリクエスト指示を前記管理装置に送信することを特徴とするカラオケシステム。
【請求項５】
請求項１又は２記載のカラオケシステムにおいて、
前記カラオケユニットは、前記楽曲データベースを有し、当該楽曲データベース内の楽曲を再生するカラオケ装置と、当該カラオケ装置に選曲指示を送信するリモコン装置とを備え、
前記リモコン装置は、前記楽曲データベースを有し、かつ前記デジタル再生装置と通信可能であり、前記デジタル再生装置から送信された前記プレイリストの楽曲情報データを受信すると、当該楽曲情報データに対応する楽曲を前記楽曲データベースから検索し、検索された楽曲に基づいて再生楽曲リストを作成し、当該再生楽曲リストを選曲指示として前記カラオケ装置に送信することを特徴とするカラオケシステム。
【請求項６】
請求項５記載のカラオケシステムにおいて、
前記リモコン装置は、前記楽曲情報データに対応する楽曲が前記楽曲データベース内にない場合には、当該楽曲の追加をリクエストするリクエスト指示を前記カラオケ装置に送信し、
前記カラオケ装置は、前記管理装置と通信可能であり、前記リモコン装置からのリクエスト指示を受信すると、当該リクエスト指示を前記管理装置に送信することを特徴とするカラオケシステム。
【請求項７】
多数の楽曲データを記憶し、当該多数の楽曲データをプレイリストとして分類する分類機能及び通信機能を有するデジタル再生装置と、
前記デジタル再生装置と通信可能で、かつ楽曲データベースを有するカラオケユニットとを備え、
前記デジタル再生装置は、前記カラオケユニットから前記楽曲データベースを受信すると、当該楽曲データベースから前記プレイリストの楽曲情報データを検索し、検索された楽曲に基づいて再生楽曲リストを作成し、当該再生楽曲リストを前記カラオケユニットに送信することを特徴とするカラオケシステム。
【請求項８】
多数の楽曲データを記憶し、当該多数の楽曲データをプレイリストとして分類する分類手段と、
前記分類手段により分類されたプレイリストの楽曲情報データをカラオケユニットの選曲候補情報として送信する通信手段とを有することを特徴とするデジタル再生装置。
【請求項９】
カラオケユニットから楽曲データベースを受信する通信手段と、
多数の楽曲データを記憶し、当該多数の楽曲データをプレイリストとして分類する分類手段とを備え、
前記分類手段は、前記通信手段で受信した楽曲データベースから前記プレイリストの楽曲情報データを検索し、検索された楽曲に基づいて再生楽曲リストを作成し、
前記通信手段は、分類手段により作成された再生楽曲リストをカラオケユニットの選曲候補情報として送信することを特徴とするデジタル再生装置。
【発明の詳細な説明】
【技術分野】
【０００１】
本発明は、カラオケシステム及びデジタル再生装置に関する。
【背景技術】
【０００２】
従来、カラオケシステムにおいては、カラオケ装置と、カラオケ装置に対して選曲指示を送信するリモコンなどから構成されていた（例えば特許文献１参照）。このカラオケシステムの選曲方式としては、カラオケ装置に備えられた操作キーを操作して選曲する方式や、リモコンに備えられた操作キーやタッチパネルなどで選曲する方式があった。近年では、赤外線通信可能な携帯電話に予め歌いたい楽曲を登録しておき、カラオケをする際に携帯電話を操作して、登録されていた楽曲の楽曲情報をカラオケ装置に送信することで選曲する方式も実現されている。
【特許文献１】特開２００２−３１２１８８号公報
【発明の開示】
【発明が解決しようとする課題】
【０００３】
しかしながら、上記した選曲方式のうち、カラオケ装置やリモコンから選曲する方式であると、ユーザはその都度好みの曲を思い出したり、探したりする作業が発生し、その間カラオケを楽しむことができない。一方、携帯電話に予め登録することで選曲する方式では、カラオケ時においては選曲する手間が省けるため、前記の方式と比較してもカラオケに集中することができる。ところで、携帯電話で選曲する場合においても、予め携帯電話に登録された楽曲群からユーザが歌いたい楽曲を選択してカラオケ装置に送信する必要があり、いずれにしても選択時にはカラオケを楽しむことができなくなっていた。
本発明の課題は、カラオケの選曲時における利便性をより高めることである。
【課題を解決するための手段】
【０００４】
請求項１記載の発明におけるカラオケシステムは、
多数の楽曲データを記憶し、当該多数の楽曲データをプレイリストとして分類する分類機能及び通信機能を有するデジタル再生装置と、
前記デジタル再生装置と通信可能で、かつ楽曲データベースを有するカラオケユニットとを備え、
前記カラオケユニットは、前記デジタル再生装置から送信された前記プレイリストの楽曲情報データを受信すると、当該楽曲情報データに対応する楽曲を前記楽曲データベースから検索し、検索された楽曲に基づいて再生楽曲リストを作成することを特徴としている。
【０００５】
請求項２記載の発明は、請求項１記載のカラオケシステムにおいて、
前記カラオケユニットは、外部の管理装置と通信可能であり、前記楽曲情報データに対応する楽曲が前記楽曲データベース内にない場合には、当該楽曲の追加をリクエストするリクエスト指示を前記管理装置に送信することを特徴としている。
【０００６】
請求項３記載の発明は、請求項１又は２記載のカラオケシステムにおいて、
前記カラオケユニットは、前記楽曲データベースを有し、当該楽曲データベース内の楽曲を再生するカラオケ装置と、当該カラオケ装置に選曲指示を送信するリモコン装置とを備え、
前記カラオケ装置は、前記デジタル再生装置と通信可能であり、前記デジタル再生装置から送信された前記プレイリストの楽曲情報データを受信すると、当該楽曲情報データに対応する楽曲を前記楽曲データベースから検索し、検索された楽曲に基づいて再生楽曲リストを作成することを特徴としている。
【０００７】
請求項４記載の発明は、請求項３記載のカラオケシステムにおいて、
前記カラオケ装置は、前記管理装置と通信可能であり、前記楽曲情報データに対応する楽曲が前記楽曲データベース内にない場合には、当該楽曲の追加をリクエストするリクエスト指示を前記管理装置に送信することを特徴としている。
【０００８】
請求項５記載の発明は、請求項１又は２記載のカラオケシステムにおいて、
前記カラオケユニットは、前記楽曲データベースを有し、当該楽曲データベース内の楽曲を再生するカラオケ装置と、当該カラオケ装置に選曲指示を送信するリモコン装置とを備え、
前記リモコン装置は、前記楽曲データベースを有し、かつ前記デジタル再生装置と通信可能であり、前記デジタル再生装置から送信された前記プレイリストの楽曲情報データを受信すると、当該楽曲情報データに対応する楽曲を前記楽曲データベースから検索し、検索された楽曲に基づいて再生楽曲リストを作成し、当該再生楽曲リストを選曲指示として前記カラオケ装置に送信することを特徴としている。
【０００９】
請求項６記載の発明は、請求項５記載のカラオケシステムにおいて、
前記リモコン装置は、前記楽曲情報データに対応する楽曲が前記楽曲データベース内にない場合には、当該楽曲の追加をリクエストするリクエスト指示を前記カラオケ装置に送信し、
前記カラオケ装置は、前記管理装置と通信可能であり、前記リモコン装置からのリクエスト指示を受信すると、当該リクエスト指示を前記管理装置に送信することを特徴としている。
【００１０】
請求項７記載の発明におけるカラオケシステムは、
多数の楽曲データを記憶し、当該多数の楽曲データをプレイリストとして分類する分類機能及び通信機能を有するデジタル再生装置と、
前記デジタル再生装置と通信可能で、かつ楽曲データベースを有するカラオケユニットとを備え、
前記デジタル再生装置は、前記カラオケユニットから前記楽曲データベースを受信すると、当該楽曲データベースから前記プレイリストの楽曲情報データを検索し、検索された楽曲に基づいて再生楽曲リストを作成し、当該再生楽曲リストを前記カラオケユニットに送信することを特徴としている。
【００１１】
請求項８記載の発明におけるデジタル再生装置は、
多数の楽曲データを記憶し、当該多数の楽曲データをプレイリストとして分類する分類手段と、
前記分類手段により分類されたプレイリストをカラオケユニットの選曲候補情報として送信する通信手段とを有することを特徴としている。
【００１２】
請求項９記載の発明におけるデジタル再生装置は、
カラオケユニットから楽曲データベースを受信する通信手段と、
多数の楽曲データを記憶し、当該多数の楽曲データをプレイリストとして分類する分類手段とを備え、
前記分類手段は、前記通信手段で受信した楽曲データベースから前記プレイリストの楽曲情報データを検索し、検索された楽曲に基づいて再生楽曲リストを作成し、
前記通信手段は、分類手段により作成された再生楽曲リストをカラオケユニットの選曲候補情報として送信することを特徴としている。
【発明の効果】
【００１３】
本発明によれば、デジタル再生装置から送信されたプレイリストの楽曲情報データを受信すると、カラオケユニットは楽曲情報データに対応する楽曲を楽曲データベースから検索し、検索された楽曲に基づいて再生楽曲リストを作成するので、デジタル再生装置のプレイリストを用いてユーザの嗜好にあった再生楽曲リストが自動的に作成されることになる。デジタル再生装置は個々のユーザが携帯しているものであり、プレイリストにもそのユーザの嗜好が反映されている。したがってデジタル再生装置内のプレイリストを基に自動的に選曲されると、選曲時の利便性が高められることになり、ユーザは従来よりもカラオケを十分に堪能することが可能となる。
【発明を実施するための最良の形態】
【００１４】
まず、以下の実施の形態について説明する。図１は本発明に係るカラオケシステムの概略構成を表すブロック図である。この図１に示すように、カラオケシステム１には、本発明に係るデジタル再生装置としてのデジタルオーディオプレーヤ（以下ＤＡＰと称す。）１０と、カラオケユニット２０とが設けられている。
【００１５】
まずＤＡＰ１０について説明する。図１に示すようにＤＡＰ１０には、通信部１１と、表示部１２と、記憶部１３と、音声出力部１４と、操作部１５と、操作部１５の操作に基づいて各部を制御する制御部１６とが設けられている。
【００１６】
通信部１１は、本発明に係る通信手段であり、例えば、ＩｒＤＡ、ＲＦ、ＢＬＵＥＴＯＯＴＨなどの周知の規格に対応して外部機器と通信を行うものである。通信部１１は、後述するプレイリストをカラオケユニット２０の選曲候補情報として送信する。
表示部１２は、液晶ディスプレイや有機ＥＬディスプレイなどの表示手段により構成されていて、各種情報を表示するものである。
【００１７】
記憶部１３は、本発明に係る分類手段であり、ハードディスクドライブ、フラッシュメモリなどの記憶手段により構成されていて、多数の楽曲データを記憶するものである。ここで、各楽曲データは、楽曲の音声波形をデジタル信号化したものであり、所定の条件毎或いはユーザの嗜好毎にプレイリストとして分類されている。記憶部１３は、各プレイリストを構成する楽曲の諸情報（例えば、曲名、アーティスト名、アルバム名、ジャンル名、年代、作曲家名、作詞家名、テンポ等）を楽曲情報データとして各プレイリスト毎に記憶している。
【００１８】
音声出力部１４は、音声出力コネクタに接続されたヘッドホンやスピーカに対して、楽曲データに基づく音声信号を出力するものである。
操作部１５は、例えばＤＡＰ１０の装置本体の表面に配置された操作キーなどにより構成されており、操作キーからの入力信号は制御部１６に出力されるようになっている。
【００１９】
制御部１６は、ＣＰＵ、ＲＡＭ、ＲＯＭなどを備えて構成されており、操作部１５からの入力信号に基づき、各部を制御する。例えば、操作部１５により楽曲の諸情報が選択されると、制御部１６は、記憶部１３を制御して選択された情報毎に記憶部１３内の多数の楽曲を分類してプレイリストを作成させる。つまり制御手段１６も本発明に係る分類手段を構成するものである。
【００２０】
次に、カラオケユニット２０について説明する。図１に示すようにカラオケユニット２０には、楽曲データベースを有し、当該楽曲データベース内の楽曲を再生するカラオケ装置３０と、当該カラオケ装置３０に選曲指示を送信するリモコン装置４０とが備えられている。
【００２１】
カラオケ装置３０には、ＤＡＰ用通信部３１と、楽曲用通信部３２と、リモコン用通信部３３と、表示部３４と、記憶部３５と、音声出力部３６と、操作部３７と、操作部３７の操作に基づいて各部を制御する制御部３８とが設けられている。
【００２２】
ＤＡＰ用通信部３１は、ＤＡＰ１０との通信を可能とするため、ＤＡＰ１０の通信規格に対応したものが適用されている。
楽曲用通信部３２には、楽曲データを管理する外部の管理装置５０と通信可能に接続されており、管理装置５０から配信された楽曲データを受信したり、カラオケ装置３０には存在していない楽曲を管理装置５０にリクエストするリクエスト指示を送信したりする。
リモコン用通信部３３は、リモコン装置４０との通信を可能とするため、リモコン装置４０の通信規格に対応したものが適用されている。
【００２３】
表示部３４には、再生中の楽曲の歌詞や映像、その他の情報を表示するモニタ３４ａと、再生中の楽曲の選曲番号や、予約された楽曲の選曲番号や曲名等を表示する電光掲示部３４ｂとが設けられている。
【００２４】
記憶部３５には、管理装置５０から配信可能な楽曲のデータベース（楽曲データベース）が記憶されている。楽曲データベースには、各楽曲の諸情報（例えば、選曲番号、曲名、アーティスト名、アルバム名、ジャンル名、年代、作曲家名、作詞家名、テンポ等）がまとめられている。
【００２５】
音声出力部３６は、音声出力コネクタに接続されたスピーカに対して、楽曲データに基づく音声信号を出力するものである。
操作部３７は、例えばカラオケ装置３０の表面に配置された操作キーなどにより構成されており、操作キーからの入力信号は制御部３８に出力されるようになっている。
【００２６】
制御部３８は、ＣＰＵ、ＲＡＭ、ＲＯＭなどを備えて構成されており、操作部１５からの入力信号に基づき、各部を制御する。制御部３８は、リモコン装置４０から送信された選曲指示をリモコン用通信部３３で受信したり、ＤＡＰ１０から送信されたプレイリストの楽曲情報データをＤＡＰ用通信部３１で受信したりすると、これらの受信内容に基づいて再生楽曲リストを作成するようになっている。
【００２７】
例えば、リモコン装置４０から選曲指示を受信した場合には、制御部３８は、受信した楽曲順に再生楽曲リストを作成する。
他方、ＤＡＰ１０から楽曲情報データを受信した場合には、制御部３８は、当該楽曲情報データに対応する楽曲を記憶部３５内の楽曲データベースから検索し、検索された楽曲に基づいて再生楽曲リストを作成するようになっている。
この検索により、楽曲情報データに対応する楽曲が楽曲データベース内にない場合には、制御部３８は、当該楽曲の追加をリクエストするリクエスト指示を管理装置５０に送信し、当該楽曲は除いて再生楽曲リストを作成するようになっている。
【００２８】
再生楽曲リストが作成されると、制御部３８は、楽曲用通信部３２を制御して、楽曲データを管理装置５０から受信し、取得した楽曲データを基に音声出力部３６を制御して、再生楽曲リスト順に楽曲データを再生するようになっている。
【００２９】
リモコン装置４０には、操作部４１と、送信部４２と、これらを制御する制御部４３とが設けられている。
【００３０】
操作部４１は、歌いたい楽曲を指定するための選曲指示を入力するものである。操作部４１は、例えばリモコン装置４０の表面に配置された操作キーやタッチパネルなどにより構成され、操作キー若しくはタッチパネルからの選曲指示信号は制御部４３に出力されるようになっている。
送信部４２は、例えば、ＩｒＤＡ、ＲＦ、ＢＬＵＥＴＯＯＴＨなどの周知の規格に対応してカラオケ装置３０と通信を行うものである。
【００３１】
制御部４３は、ＣＰＵ、ＲＡＭ、ＲＯＭなどを備えて構成されており、操作部４１からの選曲指示信号を送信するように、送信部４２を制御するようになっている。
【００３２】
以下、本実施形態の作用について説明する。
まず、ＤＡＰ１０からプレイリストが選曲候補情報としてカラオケ装置３０に送信される際の工程を説明する。図２は、ＤＡＰ１０及びカラオケ装置３０の各動作タイミングを表すタイミングチャートである。
【００３３】
図２に示すように、まずユーザが自身のＤＡＰ１０でカラオケ装置３０に送信するプレイリストを選択する（ステップＳ１）。この際、ＤＡＰ１０の制御部１６は、変数Ｍを０にリセットし、変数Ｎを１とする。
【００３４】
ステップＳ２では、ＤＡＰ１０の制御部１６は、通信部１１を制御して、ステップＳ１で選択したプレイリストを送信開始する旨（プレイリスト送信開始信号）をカラオケ装置３０に送信し、通知する。
【００３５】
カラオケ装置３０側では、ＤＡＰ１０からのプレイリスト送信開始信号を受信すると、カラオケ装置３０の制御部３８は、変数Ｒを１にすることでプレイリストを受信するための準備を行い（ステップＴ１）、その後、ＤＡＰ用通信部３１を制御して、現在空いているデバイスＩＤをＤＡＰ１０に送信する（ステップＴ２）。
【００３６】
ＤＡＰ１０側では、カラオケ装置３０からデバイスＩＤを受信すると、ＤＡＰ１０の制御部１６は、通信部１１を制御して、デバイスＩＤを付加してＮ曲目のパケットＩＤを要求するパケットＩＤ要求信号をカラオケ装置３０に送信する（ステップＳ３）。
【００３７】
カラオケ装置３０側では、ＤＡＰ１０からのパケットＩＤ要求信号を受信すると、カラオケ装置３０の制御部３８は、ＤＡＰ用通信部３１を制御して、現在空いているパケットＩＤをＤＡＰ１０に送信する（ステップＴ３）。
【００３８】
ＤＡＰ１０側では、カラオケ装置３０からパケットＩＤを受信すると、ＤＡＰ１０の制御部１６は、通信部１１を制御して、デバイスＩＤ及びパケットＩＤを付加したＮ曲目の曲名を楽曲情報データとしてカラオケ装置３０に送信する（ステップＳ４）。
【００３９】
カラオケ装置３０側では、デバイスＩＤ及びパケットＩＤが付加されたＮ曲目の曲名をＤＡＰ１０から受信すると、カラオケ装置３０の制御部３８は、ＤＡＰ用通信部３１を制御して、Ｎ曲目の曲名の受信を完了した旨を現在空いているパケットＩＤをＤＡＰ１０に送信する（ステップＴ４）。
【００４０】
ＤＡＰ１０側では、カラオケ装置３０から曲名の受信を完了した旨を受信すると、ＤＡＰ１０の制御部１６は、通信部１１を制御して、デバイスＩＤ及びパケットＩＤを付加したＮ曲目のアーティスト名を楽曲情報データとしてカラオケ装置３０に送信する（ステップＳ５）。
【００４１】
カラオケ装置３０側では、デバイスＩＤ及びパケットＩＤが付加されたＮ曲目のアーティスト名をＤＡＰ１０から受信すると、カラオケ装置３０の制御部３８は、ＤＡＰ用通信部３１を制御して、Ｎ曲目のアーティスト名の受信を完了した旨をＤＡＰ１０に送信する（ステップＴ５）。
【００４２】
ＤＡＰ１０側では、カラオケ装置３０からアーティスト名の受信を完了した旨を受信すると、ＤＡＰ１０の制御部１６は、通信部１１を制御して、パケットＩＤを付加してＮ曲目の楽曲情報データの送信終了通知をカラオケ装置３０に送信する（ステップＳ６）。なお、本実施形態では、ＤＡＰ１０が楽曲の曲名及びアーティスト名のみを楽曲情報データとしてカラオケ装置３０に送信する場合を例示して説明したが、アルバム名、ジャンル名、年代、作曲家名、作詞家名、テンポ等を楽曲情報データとして送信してもよい。
【００４３】
カラオケ装置３０側では、楽曲情報データの送信終了通知をＤＡＰ１０から受信すると、カラオケ装置３０の制御部３８は、Ｎ曲目の楽曲情報データ（曲名、アーティスト名）に対応する楽曲を、記憶部３５の楽曲データベースから検索する（ステップＴ６）。
【００４４】
そして、ステップＴ７では、カラオケ装置３０の制御部３８は、ステップＴ６の検索により、Ｎ曲目の楽曲情報データに対応する楽曲が記憶部３５の楽曲データベースにある場合にはステップＴ８に移行して、ない場合にはステップＴ９に移行する。
【００４５】
ステップＴ８では、カラオケ装置３０の制御部３８は、検索された楽曲を再生楽曲リストのＲ曲目に登録し、その後変数Ｒを１カウントアップして、ステップＴ１０に移行する。なお、Ｎ曲目の楽曲情報データに対応する楽曲が楽曲データベース内に複数有る場合には、該当する楽曲全てを候補曲として再生楽曲リストのＲ曲目に登録しておく。
【００４６】
ステップＴ９では、カラオケ装置３０の制御部３８は、楽曲用通信部３２を制御して、検索対象曲の追加をリクエストするリクエスト指示を管理装置５０に送信し、ステップＴ１０に移行する。
【００４７】
ステップＴ１０では、カラオケ装置３０の制御部３８は、ＤＡＰ用通信部３１を制御して、検索対象曲が楽曲データベースに存在していたか否かをＤＡＰ１０に送信した後、パケットＩＤを開放する。
【００４８】
ＤＡＰ１０側では、カラオケ装置３０から検索対象曲の存在有無を受信すると、ＤＡＰ１０の制御部１６は、変数Ｎを１カウントアップし、ステップＳ７に移行する。この際、制御部１６は、「検索対象曲有り」を受信している場合には変数Ｍも１カウントアップする。
【００４９】
ステップＳ７では、ＤＡＰ１０の制御部１６は、変数Ｎがプレイリストの全曲数であるか否かを判断し、変数Ｎがプレイリストの全曲数でない場合にはステップＳ３に移行して、変数Ｎがプレイリストの全曲数である場合にはステップＳ８に移行する。これにより、プレイリストの全曲目の楽曲情報データがカラオケ装置３０に送信されて、カラオケ装置３０側では楽曲データベースにある楽曲からなる再生楽曲リストが作成されることになる。
【００５０】
ステップＳ８では、ＤＡＰ１０の制御部１６は、通信部１１を制御して、プレイリストにおける全曲分の楽曲情報データを送信完了した旨（プレイリスト送信完了信号）をカラオケ装置３０に送信し、通知する。
【００５１】
カラオケ装置３０側では、プレイリスト送信完了信号をＤＡＰ１０から受信すると、カラオケ装置３０の制御部３８は、プレイリストの受信状態を終了して、デバイスＩＤを開放し（ステップＴ１１）、その後、ＤＡＰ用通信部３１を制御して、プレイリスト送信完了信号を受信したした旨をＤＡＰ１０に送信する。
【００５２】
ＤＡＰ１０側では、カラオケ装置３０からプレイリスト送信完了信号を受信した旨を受信すると、ＤＡＰ１０の制御部１６は、表示部１２を制御して、検索合致曲数がＭ曲である旨を表示させる（ステップＳ９）。
【００５３】
これら一連の動作を、図３を参照に具体的に説明する。図３はＤＡＰ１０内のプレイリスト例と、当該プレイリストの楽曲情報データに基づき作成された再生楽曲リストとを表している。
【００５４】
例えば、図３に示す４曲からなるプレイリストがＤＡＰ１０からカラオケ装置３０に送信されると、１曲目の「○を閉じて：△村○賢」に対応する楽曲が楽曲データベースから２曲（「○を閉じて：△村○賢」、「△村○賢メドレー：△村○賢」）検索されたとする。この場合、それぞれの楽曲が選曲候補として再生楽曲リストの１番目に登録される。
【００５５】
次に、２曲目の「リ○△  リ○□：平○□エ」に対応する楽曲が楽曲データベースから１曲検索されたとすると、この場合、検索された１曲が選曲候補として再生楽曲リストの２番目に登録される。
【００５６】
また、３曲目の「×福×：●名アッ△ル」に対応する楽曲が楽曲データベースから２曲（「×福×：●名アッ△ル」、「×福×（ＪＡＺＺバーション）：●名アッ△ル」）検索されたとすると、この場合、それぞれの楽曲が選曲候補として再生楽曲リストの３番目に登録される。
【００５７】
そして、４曲目の「○○をあつめて：え×どこ○ち」に対応する楽曲が楽曲データベースから検索されなかったとすると、この場合、当該曲を追加するリクエスト指示が管理装置５０に送信されることになる。
このように、上記４曲のプレイリスト例からは、３曲分の候補が列挙された再生楽曲リストが作成されることになる。
【００５８】
再生楽曲リストが作成されると、カラオケ装置３０の制御部３８は、楽曲の再生処理を実行する。図４は再生処理の流れを表すフローチャートである。この図４に示すように、再生処理が開始されると、まずカラオケ装置３０の制御部３８は、再生楽曲リスト内に楽曲が登録されているか否かを判断し（ステップＴ２１）、登録されている場合にはステップＴ２２に移行して、登録されていない場合には再生処理を終了する。
【００５９】
ステップＴ２２では、カラオケ装置３０の制御部３８は、再生楽曲リストの先頭の登録曲を読み込む。
【００６０】
ステップＴ２３では、カラオケ装置３０の制御部３８は、先頭の登録曲に複数の候補があるか否かを判断し、単一候補である場合にはステップＴ２４に移行し、複数候補である場合にはステップＴ２５に移行する。
【００６１】
ステップＴ２４では、カラオケ装置３０の制御部３８は、楽曲用通信部３２を制御して、単一候補である楽曲の楽曲データを管理装置５０から取得し、その取得した楽曲データを基に音声出力部３６を制御して、楽曲を再生し、ステップＴ２８に移行する。
【００６２】
ステップＴ２５では、カラオケ装置３０の制御部３８は、表示部３４を制御して、登録曲で候補とされる楽曲の楽曲情報データ一覧をモニタ３４ａに表示し、ユーザに楽曲の選択を促す。
【００６３】
ステップＴ２６では、カラオケ装置３０の制御部３８は、カラオケ装置３０の操作部３７若しくはリモコン装置４０の操作部４１により楽曲の選択指示信号が入力されたか否かを判断し、選択指示信号が入力されていない場合にはその状態で待機し、入力された場合にはステップＴ２７に移行する。
【００６４】
ステップＴ２７では、カラオケ装置３０の制御部３８は、楽曲用通信部３２を制御して、選択された楽曲の楽曲データを管理装置５０から取得し、その取得した楽曲データを基に音声出力部３６を制御して、楽曲を再生し、ステップＴ２８に移行する。
【００６５】
ステップＴ２８では、カラオケ装置３０の制御部３８は、再生楽曲リストの先頭の登録曲を削除し、以降の登録曲群を前詰めする。
【００６６】
ステップＴ２９では、カラオケ装置３０の制御部３８は、再生動作が継続中であるか否かを判断し、継続中である場合にはそのままの状態を維持し、停止となった場合にはステップＴ２１に移行する。なお、ここで再生動作の停止は、カラオケ装置３０の操作部３７若しくはリモコン装置４０の操作部４１により再生停止指示が入力されたこと、或いは楽曲の再生が終了したことにより実行される。
【００６７】
以上のように、本実施形態によれば、ＤＡＰ１０から送信されたプレイリストの楽曲情報データを受信すると、カラオケ装置３０は楽曲情報データに対応する楽曲を楽曲データベースから検索し、検索された楽曲に基づいて再生楽曲リストを作成するので、ＤＡＰ１０のプレイリストを用いてユーザの嗜好にあった再生楽曲リストが自動的に作成されることになる。ＤＡＰ１０は個々のユーザが携帯しているものであり、プレイリストにもそのユーザの嗜好が反映されている。したがってＤＡＰ１０内のプレイリストを基に自動的に選曲されると、選曲時の利便性が高められることになり、ユーザは従来よりもカラオケを十分に堪能することが可能となる。
【００６８】
なお、本発明は上記実施形態に限らず適宜変更可能であるのは勿論である。
例えば、本実施形態ではデジタル再生装置としてデジタルオーディオプレーヤ（ＤＡＰ１）を例示して説明したが、デジタルな楽曲データを記憶し、なおかつ通信機能を有するものであれば如何なる再生装置であっても構わない。ＤＡＰ以外のものとしては、例えば音楽再生機能を有する携帯電話や、携帯ゲーム機器、デジタル動画再生装置などが挙げられる。
【００６９】
また、本実施形態では、図２に示すようにプレイリストの楽曲情報データをカラオケ装置３０側に送る際、項目毎（曲名とアーティスト名とを個別）に送信しているが、これらを一括に送信してもよい。
【００７０】
また、本実施形態では、図３に示すように、候補曲が複数ある場合にはユーザに選択される場合を例示して説明したが、カラオケ装置３０の制御部３８が自動で候補曲を選択してもよい。この場合、選択基準としては候補曲の中で利用頻度の高いものや、検索ヒット率の高いものなどが挙げられる。
【００７１】
また、本実施形態では、プレイリストに登録されている曲順を基に再生楽曲リストが作成されるようになっているが、再生楽曲リストの曲順はこれに限定されるものではなく、例えばランダム順であったり、ユーザの選択に基づく順で作成されていてもよい。
【００７２】
また、本実施形態では、カラオケ装置３０がＤＡＰ１０から送られたプレイリストに基づいて再生楽曲リストを作成しているが、リモコン装置で再生楽曲リストを作成してもよい。この場合、リモコン装置には、ＤＡＰ１０との通信が可能なＤＡＰ用通信部と、楽曲データベースを記憶する記憶部とが搭載される。そして、リモコン装置の制御部は、ＤＡＰ１０から送信されたプレイリストの楽曲情報データをＤＡＰ用通信部で受信すると、当該楽曲情報データに対応する楽曲を記憶部中の楽曲データベースから検索し、検索された楽曲に基づいて再生楽曲リストを作成し、当該再生楽曲リストを選曲指示として送信部からカラオケ装置３０に送信するようになっている。
また、リモコン装置は、楽曲情報データに対応する楽曲が楽曲データベース内にない場合には、当該楽曲の追加をリクエストするリクエスト指示をカラオケ装置３０装置に送信してもよい。この場合、カラオケ装置は、リモコン装置からのリクエスト指示を受信すると、当該リクエスト指示を管理装置に送信することになる。
【００７３】
また、デジタル再生装置により再生楽曲リストが作成されてもよい。具体的には、デジタル再生装置は、カラオケユニットからの楽曲データベースを通信部１１が受信すると、制御部１６が記憶部１３を制御して、当該楽曲データベースからプレイリストの楽曲情報データを検索し、検索された楽曲に基づいて再生楽曲リストを作成し、当該再生楽曲リストを通信部１１からカラオケユニットに送信することになる。
【図面の簡単な説明】
【００７４】
【図１】本実施形態に係るカラオケシステムの主制御構成を表すブロック図である。
【図２】図１のカラオケシステムに備わるＤＡＰ及びカラオケ装置の各動作タイミングを表すタイミングチャートである。
【図３】図２の工程により作成される再生楽曲リストとプレイリストとの関係を表す説明図である。
【図４】図１のカラオケシステムに備わるカラオケ装置の再生処理を表すフローチャートである。
【符号の説明】
【００７５】
１      カラオケシステム
１０      ＤＡＰ（デジタル再生装置）
１１      通信部（通信手段）
１３      記憶部（分類手段）
１６      制御部（分類手段）
２０      カラオケユニット
３０      カラオケ装置
４０      リモコン装置
５０      管理装置
【図１】
2008158048.tif 000003
【図２】
2008158048.tif 000004
【図３】
2008158048.tif 000005
【図４】
2008158048.tif 000006